(57)【特許請求の範囲】
【請求項１】
前面に開口する断熱箱体内に貯蔵室を形成し、この貯蔵室内に被貯蔵物を積載して収納し、低温状態にて貯蔵する低温貯蔵庫において、
前記貯蔵室の左右壁面に上下方向に支柱を設け、これら支柱には、前記被貯蔵物の前面に延在する荷崩れ防止部材を着脱自在に対向して取り付け、対向する両荷崩れ防止部材同士を連結する連結部材を設けたことを特徴とする低温貯蔵庫。
【請求項２】
前記支柱は、前記貯蔵室の底部から上部に渡り、当該貯蔵室内に突出して設けられていることを特徴とする請求項１の低温貯蔵庫。
【発明の詳細な説明】
【０００１】
【発明の属する技術分野】
本発明は、前面に開口する断熱箱体内に貯蔵室を形成し、この貯蔵室内に特に、収納袋等に収容された被貯蔵物を積載して収納し、低温状態にて貯蔵する低温貯蔵庫に関するものである。
【０００２】
【従来の技術】
従来より、米などの穀物を比較的長い期間貯蔵する場合、貯蔵環境により被貯蔵物の品質が低下する問題があった。そのため、例えば農家の納屋などには、米などの穀物を貯蔵するために低温貯蔵庫が用いられている。係る低温貯蔵庫は、前面に開口する断熱箱体内に貯蔵室を形成し、断熱箱体の前面開口には、当該前面開口を開閉自在に閉塞するための断熱扉が設けられている。
【０００３】
そして、この断熱箱体の上部には、機械室が区画形成され、冷却装置を構成する圧縮機、凝縮器及び凝縮器用送風機などが載置される。そして、貯蔵室内上部には、冷却器及び冷却器用送風機が設けられると共に、この冷却器及び送風機の下方には、仕切板が設けられる。これにより、仕切板と貯蔵室天面との間には冷却室が形成される。仕切板の後方には、開口が形成され、送風機により冷気が仕切板後方から貯蔵室に吐出され、貯蔵室内は、所定の温度、例えば＋５℃乃至＋１５℃に冷却される。これにより、貯蔵室内に例えば、袋に収容された被貯蔵物を複数段に積載し、冷却装置により貯蔵室内に冷気を供給することによって、被貯蔵物を通年に渡って適温環境において貯蔵することができる。
【０００４】
【発明が解決しようとする課題】
通常、米などの穀物を貯蔵する低温貯蔵庫では、収穫時期に貯蔵室内に多くの収納袋に収容された被貯蔵物としての米等が貯蔵され、月日の経過に伴って被貯蔵物が徐々に取り出される。そのため、徐々に被貯蔵物が取り出され、少なくなった場合、貯蔵室内上部には、空きスペースが形成され、係るスペースを有効に利用できないと云う問題があった。そこで、係る空きスペースを有効に利用するため、使用者自らが木や鉄製の棚を貯蔵室内に設置し、空きスペースの有効利用を図っているのが実情であった。
【０００５】
そこで、本発明は上述の如き実情に鑑みて成されたものであり、貯蔵室内の空きスペースの有効利用を容易に行うことができる低温貯蔵庫を提供することを目的とする。
【０００６】
【課題を解決するための手段】
本発明の低温貯蔵庫は、前面に開口する断熱箱体内に貯蔵室を形成し、この貯蔵室内に被貯蔵物を積載して収納し、低温状態にて貯蔵するものであって、貯蔵室の左右壁面に上下方向に支柱を設け、これら支柱には、被貯蔵物の前面に延在する荷崩れ防止部材を着脱自在に対向して取り付け、対向する両荷崩れ防止部材同士を連結する連結部材を設けたことを特徴とする。
【０００７】
本発明によれば、前面に開口する断熱箱体内に貯蔵室を形成し、この貯蔵室内に被貯蔵物を積載して収納し、低温状態にて貯蔵する低温貯蔵庫において、貯蔵室の壁面に上下方向に支柱を設け、この支柱には、被貯蔵物の前面に延在する荷崩れ防止部材を着脱自在に取り付けたので、貯蔵室内に複数段積載された被貯蔵物が前方に荷崩れを生じることを未然に回避することができるようになる。これにより、安定して被貯蔵物を収容することができ、低温貯蔵庫の利便性を向上させることができるようになる。
【０００８】
特に、支柱は貯蔵室の左右壁に設けられ、これら支柱には荷崩れ防止部材が対向して設けられると共に、対向する両荷崩れ防止部材同士を連結する連結部材を設けたことので、例えば幅の広い低温貯蔵庫であっても、貯蔵室中央に収納された被貯蔵物を連結部材により安定して支持することができ、被貯蔵物の前方への荷崩れをより一層抑制することができるようになる。
【０００９】
請求項２の発明の低温貯蔵庫は、上記発明に加えて、支柱は、貯蔵室の底部から上部に渡り、当該貯蔵室内に突出して設けられていることを特徴とする。
【００１０】
請求項２の発明によれば、上記発明に加えて、支柱は、貯蔵室の底部から上部に渡り、当該貯蔵室内に突出して設けられているので、貯蔵室内に被貯蔵物が収納された場合に、断熱箱体内壁と被貯蔵物との間に、支柱の突出分だけの間隔を確保することができるようになり、貯蔵室内の冷気循環路を確保することができ、被貯蔵物を均一に冷却することができるようになる。
【００１１】
【発明の実施の形態】
以下、図面に基づき本発明の実施例を詳述する。図１は本発明の低温貯蔵庫Ｒの縦断側面図、図２は低温貯蔵庫Ｒの透視正面図、図３は冷却貯蔵庫Ｒの平断面図を示している。実施例の低温貯蔵庫Ｒは、例えば農家の納屋などに設置され、収納袋に収容された米などの穀物を貯蔵する穀物貯蔵用の縦型低温貯蔵庫である。低温貯蔵庫Ｒは前面に開口１Ａを有する本体としての断熱箱体１により構成され、当該断熱箱体１内には、貯蔵室２が形成されている。そして、この断熱箱体１の前面開口１Ａは、当該開口１Ａの一側を中心として回動自在に枢支される断熱扉６により開閉自在に閉塞されている。
【００１２】
この貯蔵室２内上部には冷却装置３の冷却器４が取り付けられている。この冷却器４の近傍、本実施例では前方には冷却器用送風機５が取り付けられている。また、この冷却器４及び送風機５の下方には、冷却器４が取り付けられる冷却室７と貯蔵室２とを区画するための仕切板８が設けられている。この仕切板８は、後方が開口されていると共に、送風機５に対応する位置に吸込口９が形成されている。
【００１３】
他方、断熱箱体１の天面には、前面パネル１０及び両側面及び後面を構成するパネル１１によって機械室１２が画成されており、この機械室１２内には、冷却装置３を構成する圧縮機１３や凝縮器１４などが設置され、冷却器４と共に周知の冷媒回路を構成している。尚、図１において１５は、凝縮器用送風機である。
【００１４】
これにより、圧縮機１３、冷却器用送風機５及び凝縮器用送風機１５が運転されると、冷却器用送風機５によって、貯蔵室２から冷却室７内に吸い込まれた冷気は、冷却器４と熱交換された後、仕切板８後方に形成された開口より貯蔵室内に吐出され、貯蔵室２内は所定の温度、本実施例では、被貯蔵物を米などの穀物とするため、＋５℃乃至＋１５℃に冷却される。尚、圧縮機１３などの冷却装置３は、前面パネル１０に形成されるコントロールパネル１６により、任意に設定温度を調整することができるものとする。
【００１５】
そして、この貯蔵室２の底面には、簀の子１７が配置され、この簀の子１７上には、収納袋、例えば玄米袋内に収容された米などの被貯蔵物Ｆが複数段、積載される。尚、本実施例では奥部に一段、前部に一段ずつ積載される。通常、米の収穫時期などに、貯蔵室２内に多くの被貯蔵物Ｆが貯蔵されることにより、前記冷却装置３により、適切な温度環境で保管することができる。
【００１６】
一方、前記貯蔵室２の左右側面を構成する壁面には、貯蔵室２の底部から上部に渡り、上下方向の支柱２０が左右それぞれの壁面に複数、本実施例では２本ずつ設けられる。この支柱２０は図４に示す如く板状部材を断面略コ字状に折曲した突出部２０Ａと、係る支柱２０の突出部２０Ａ一方の側端を例えば前方に略直角に折曲した固定部２０Ｂとにより構成される。これにより、支柱２０は、固定部２０Ｂを貯蔵室２の左右側面に当接させ、図示しないネジ部材などによって固定されることにより、貯蔵室２内に突出部２０Ａが突出した状態で設けられることとなる。
【００１７】
また、この支柱２０の突出部２０Ａの貯蔵室２側の側面には、図４に示す如く後述する棚装置２７を架設するための係止孔２１が上下に渡って所定間隔を存して複数、形成されている。本実施例では、この係止孔２１は、例えば、孔形状を矩形状とする角孔により形成されている。
【００１８】
そして、この係止孔２１には、棚受け部材２６を係合させることにより、棚装置２７を架設することが可能となる。ここで、用いられる棚装置２７は、枠部材２７Ａと、この枠部材２７Ａの前後に渡って形成される線条２７Ｂと、この線条２７Ｂの左右に渡って形成される補助部材２７Ｃとにより構成されるものであるものとする。
【００１９】
棚受け部材２６は、係止孔２１の下縁を上方から狭持及び係脱可能に形成される狭持部２６Ａと、棚装置２７の枠部材２７Ａを上面に載置可能とする棚保持部２６Ｂとから構成される。
【００２０】
以上の構成により、徐々に貯蔵室２内の被貯蔵物Ｆが取り出され、貯蔵室２上部に形成された空きスペースに棚装置２５を架設する場合には、棚装置２５の架設を行いたい所望の高さに位置するそれぞれの支柱２０の係合孔２１の下縁に上記棚受け部材２６の狭持部２６Ａを係合する。そして、各棚受け部材２６の棚保持部２６Ｂ上に上記棚装置２７の枠部材２７Ａを載置する。
【００２１】
これにより、貯蔵室２内に貯蔵される被貯蔵物の収納量に応じて、容易に棚装置２７を架設することができるようになる。そのため、貯蔵室２内に貯蔵される被貯蔵物の収納量が少なくなった場合に、貯蔵室２上部に形成される空間に棚装置２７を架設することにより、当該棚装置２７上に野菜などを載置することができるようになり、貯蔵室２内を有効に利用することができ、低温貯蔵庫Ｒの利便性の向上を図ることができるようになる。
【００２２】
また、上記棚装置２７は、所望の高さに位置する係合孔２１に棚受け部材２６の狭持部２６Ａを狭持・係合させ、当該棚受け部材２６の棚保持部２６Ｂ上に棚部材２７を載置するのみで、所望の高さに棚装置２７を安定して架設することができるため、格別な棚位置調整用の工具を用いることなく、棚装置２７の架設作業を行うことができ、作業性を向上させることができるようになる。
【００２３】
また、上記支柱２０は、上述した如く貯蔵室２の底部から上部に渡って貯蔵室２内に突出して設けられているため、貯蔵室２内に被貯蔵物Ｆが複数段積載されて収納された場合であっても、断熱箱体１内壁と被貯蔵物Ｆとの間に、支柱２０の突出部２０Ａ分だけの間隔を確保することができるようになる。そのため、貯蔵室２内の冷気循環路を確保することができ、被貯蔵物Ｆを均一に冷却することができるようになる。
【００２４】
他方、貯蔵室２の背面には、前記支柱２０と同様に上下に渡って背面間隔子２４が設けられている。これによっても、貯蔵室２の背面と被貯蔵物Ｆとの間に、間隔子２４の突出部分だけの間隔を確保することができるようになり、貯蔵室２背面における冷気循環路をも確保することができ、より一層被貯蔵物Ｆを均一に冷却することができるようになる。
【００２５】
ところで、前記支柱２０には、図５及び図６に示す如きレール部材３０を左右それぞれに設けても良い。係る場合には、支柱２０の各係合孔２１の下方には、それぞれレール部材３０を固定するための固定孔３１が形成されている。レール部材３０は、貯蔵室２側に開口する断面略コ字状を呈すると共に、少なくとも前端が開放されている部材であり、貯蔵室２の側壁に前後に取り付けられる支柱２０、２０間に渡って延在している。このレール部材３０の前部及び後部には、それぞれ支柱２０、２０に形成される固定孔３１と合致し、ネジ部材３３により着脱自在に固定するための固定孔３２が形成されている。
【００２６】
これにより、前後の支柱２０、２０間に渡ってレール部材３０を固定し、当該レール部材３０の前端から、レール部材３０の奥部に渡って、前述の如き棚装置２７を挿入することにより、前後に摺動可能とする棚装置２７を架設することができるようになる。
【００２７】
そのため、棚装置２７上に被貯蔵物を収納又は取り出す際に、レール部材３０により棚装置２７を前方に摺動させることによって、容易に棚装置２７の奥部への被貯蔵物の収納及び取り出しを行うことができるようになり、利便性を向上させることができるようになる。
【００２８】
また、本実施例におけるレール部材３０の前部には、レール部材３０内に突出して設けられるストッパー３４がネジ部材３５により取り付けられている。このとき、棚装置２７に設けられる補助部材２７Ｃは、本実施例では、前後に１本ずつ形成されているものとし、棚装置２７が収納された状態で、前部に位置する補助部材２７Ｃの後方にストッパー３４が位置して取り付けられているものとする。
【００２９】
これにより、棚装置２７を前方に摺動させた際に、レール部材３０に設けられたストッパー３４は、後部に位置する補助部材２７Ｃによって棚装置２７全体が前方に引き出されることを規制することができ、棚装置２７全体が引き出されることにより、棚装置２７の脱落を未然に回避することができるようになる。
【００３０】
他方、前記支柱２０には、図７及び図８に示す如く底面にローラ３８を備えた収納ケース３７を滑動可能に保持する収納ケース用レール部材３６を設けても良い。
【００３１】
即ち、係る収納ケース３７は、例えば上面に開口を有する透視可能な硬質合成樹脂により構成された矩形状の本体３７Ａと、当該本体３７Ａの上面開口を着脱可能に閉塞するカバー部材３７Ｂにより構成されているものである。この本体３７Ａの底面には、両側端部の前後にローラ３８、３８が設けられている。
【００３２】
図８において４０は、上記収納ケース用レール部材３６を保持するためのレール保持部材であり、対向する支柱２０、２０間に渡って前後それぞれに設けられる。このレール保持部材４０の両端部には、支柱２０に形成された前記固定孔３１とネジ部材４１により固定するための固定孔４０Ａが形成されている。また、このレール保持部材４０には、左右に渡って複数の係合孔４０Ｂが形成されている。
【００３３】
そして、前後の支柱２０、２０に設けられたレール保持部材４０、４０には、本実施例では、一対の収納ケース用レール部材３６が所定間隔を存して取り付けられる。この収納ケース用レール部材３６は、両端が上方に折曲された断面略コ字状のレール部材であり、少なくとも前端が開口しているものとする。そして、この収納ケース用レール部材３６には、前記レール保持部材４０に形成された係合孔４０Ｂと合致してネジ部材４２により固定される係合孔４３が形成されている。
【００３４】
以上の構成により、支柱２０、２０間にレール保持部材４０を固定し、当該レール保持部材４０に収納ケース用レール部材３６を固定することにより、係る収納ケース用レール部材３６上に前記収納ケース３７を前後に滑動自在に設けることができるようになる。
【００３５】
これにより、容易に収納ケース３７内への被貯蔵物の収納・取り出しを行うことができ、より一層利便性の向上を図ることができるようになる。また、複数の収納ケースを設けることにより、被貯蔵物の分熱収納を行うことができるようになる。更に、本実施例では、収納ケース３７は、上面開口を密閉可能とするカバー部材３７Ｂを備えていることから、当該収納ケース内に貯蔵される被貯蔵物として野菜等を貯蔵した場合であっても、被貯蔵物の乾燥を抑制することができるようになる。また、貯蔵室２下部に玄米等の被貯蔵物Ｆが積載されている場合には、当該収納ケース内の被貯蔵物からの水分蒸発を抑制することができ、玄米等の被貯蔵物Ｆに悪影響を及ぼす不都合を回避することができるようになる。
【００３６】
また、本実施例では、レール保持部材４０には、複数の係合孔４０Ｂが形成されていることから、収納ケース用レール部材３６の取付位置を容易に変更することができ、用いる収納ケース３７の寸法及び個数を容易に変更することができるようになる。尚、本実施例における低温貯蔵庫Ｒは、主に玄米貯蔵用に用いられるものであり、奥行きが通常、用いられる業務用冷却貯蔵庫よりも広いことから、図７に示す如く前後に収納ケース３７を２台載置しても良いものとする。
【００３７】
次に、図９及び図１０を参照して被貯蔵物Ｆの荷崩れ防止機構について説明する。前記支柱２０の各係合孔２１に対応する高さの突出部２０Ａの前面には、上下に渡って荷崩れ防止部材４５を保持するための保持孔４４が形成されている。
【００３８】
荷崩れ防止部材４５は、例えば容易に変形しない鋼棒部材により構成されている。荷崩れ防止部材４５は、図１０に示す如く端部に形成された係止部４５Ｂと、この係止部４５Ｂから前方に延出した後、貯蔵室２内方に向けて略直角に折曲された湾曲部４５Ａとから構成された２本の鋼棒部材が、所定間隔を存して上下に設けられ、両湾曲部４５Ａ、４５Ａを一体に形成される連結部４５Ｃによって連結されることにより構成される。また、この連結部４５Ｃは、更に前方から外方に渡って折曲した保持部４５Ｄが形成される。
【００３９】
以上の構成により、前記荷崩れ防止部材４５は、上下両端部に形成された係止部４５Ｂ、４５Ｂを前記支柱２０に形成された係止孔２１に挿入し、当該係止部４５Ｂの端部を保持孔４４に挿入することにより、安定して荷崩れ防止部材４５を支柱２０に固定することができる。
【００４０】
これにより、図９に示す如く左右側壁の前部に設けられた支柱２０、２０にそれぞれ荷崩れ防止部材４５を固定することにより、貯蔵室２内に複数段に積載された被貯蔵物Ｆの前面に荷崩れ防止部材４５が延在することとなり、被貯蔵物Ｆが前方へ荷崩れすることを荷崩れ防止部材４５にて抑制することができるようになる。これにより、安定して被貯蔵物を収容することができ、低温貯蔵庫Ｒの利便性を向上させることができるようになる。
【００４１】
また、荷崩れ防止部材４５は、着脱自在に支柱２０に固定されることから、貯蔵室２内に貯蔵される被貯蔵物Ｆの高さに応じて容易に、荷崩れ防止部材４５の取付位置を変更することができ、あらゆる高さに積載された被貯蔵物Ｆの荷崩れ防止を図ることができるようになる。
【００４２】
更に、この荷崩れ防止部材４５は、係止部４５Ｂ、４５Ｂを支柱２０に形成された係止孔２１及び保持孔４４に挿入することにより固定することができるため、格別な位置調整工具を用いることなく容易に荷崩れ防止部材４５の高さを変更することができる。
【００４３】
また、図１１に示す如く横幅が広く形成されている低温貯蔵庫Ｓの場合には、対向して支柱２０、２０に設けられた両荷崩れ防止部材４５、４５同士の保持部４５Ｄに連結部材としての紐部材４６を掛けることにより、荷崩れ防止部材４５、４５を着脱自在に連結する。
【００４４】
これにより、幅の広い低温貯蔵庫Ｓであっても、貯蔵室２中央に収納された被貯蔵物Ｆを連結部材としての紐部材４６により安定して支持することができ、被貯蔵物Ｆの前方への荷崩れをより一層抑制することができるようになる。
【００４５】
次に、他の実施例としての低温貯蔵庫Ｒの棚架設機構について図１２及び図１３を参照して説明する。図１２において図１と同様の符号が付されているものは、同様の効果を奏するものであるものとする。係る実施例における貯蔵室２の左右側面を構成する壁面には、貯蔵室２の底部から上部に渡り、上下方向の支柱５０が左右それぞれの壁面に複数、係る実施例では、２本ずつ設けられる。この支柱５０は、中空の硬質合成樹脂により構成され、図１２及び図１３に示す如く上端に開口５０Ａを形成した筒状部材である。
【００４６】
この支柱５０の上端開口５０Ａには、棚吊下部材５１が係脱可能に係止される。この棚吊下部材５１は、棒状部材により構成されており、上端が図１３に示す如く下方を開放したＵ字状に形成された係止部５２が形成されている。そして、この棚吊下部材５１には、上方から下方に渡って所定間隔を存して棚装置５５を係脱可能に係合する棚係止部５３が複数形成されている。この棚係止部５３は、上方に開放したＵ字状に形成されている。
【００４７】
他方、係る実施例において用いられる棚装置５５は、枠部材５５Ａと、この枠部材５５Ａの前後に渡って形成される線条５５Ｂと、この線条５５Ｂの左右に渡って形成される補助部材５５Ｃとにより構成される。そして、棚装置５５の左右側端を構成する枠部材５５Ａには、外方に突出して形成される棚保持部５６が取り付けられている。
【００４８】
以上の構成により、徐々に貯蔵室２内の被貯蔵物Ｆが取り出され、貯蔵室２上部に形成された空きスペースに棚装置５５を架設する場合には、棚装置５５の架設を行いたい所望の高さに位置するそれぞれの支柱５０の棚係止部５３に棚装置５５の棚保持部５６を係止する。
【００４９】
これにより、貯蔵室２内に貯蔵される被貯蔵物の収納量に応じて、容易に棚装置５５を架設することができるようになる。そのため、貯蔵室２内に貯蔵される被貯蔵物の収納量が少なくなった場合に、貯蔵室２上部に形成される空間に棚装置５５を架設することにより、当該棚装置５５上に野菜などを載置することができるようになり、貯蔵室２内を有効に利用することができ、低温貯蔵庫Ｒの利便性の向上を図ることができるようになる。
【００５０】
また、上記棚装置５５は、所望の高さに位置する棚吊下部材５１の棚係止部５３に棚装置５５の棚保持部５６を係止されるのみで、所望の高さに棚装置５５を安定して架設することができるため、格別な棚位置調整用の工具を用いることなく、棚装置５５の架設作業を行うことができ、作業性を向上させることができるようになる。
【００５１】
また、係る実施例における支柱５０は、中空の硬質合成樹脂により構成されているため、断熱扉６の開放により外気が貯蔵室２内に流入した場合であっても、支柱５０に結露が発生することを抑制することができ、当該結露によって被貯蔵物Ｆである玄米袋が汚染される不都合を回避することができるようになる。
【００５２】
尚、これ以外に、図１４に示す如く当該支柱５０の側面に、上下に渡って所定間隔を存して棚係合孔６０を複数形成し、当該棚係合孔６０にＳ字部材６１を用いて上記棚装置５５の棚保持部５６を係合することにより、棚装置５５を架設しても良いものとする。
【００５３】
【発明の効果】
以上詳述した如く本発明によれば、前面に開口する断熱箱体内に貯蔵室を形成し、この貯蔵室内に被貯蔵物を積載して収納し、低温状態にて貯蔵する低温貯蔵庫において、貯蔵室の壁面に上下方向に支柱を設け、この支柱には、被貯蔵物の前面に延在する荷崩れ防止部材を着脱自在に取り付けたので、貯蔵室内に複数段積載された被貯蔵物が前方に荷崩れを生じることを未然に回避することができるようになる。これにより、安定して被貯蔵物を収容することができ、低温貯蔵庫の利便性を向上させることができるようになる。
【００５４】
特に、支柱は貯蔵室の左右壁に設けられ、これら支柱には荷崩れ防止部材が対向して設けられると共に、対向する両荷崩れ防止部材同士を連結する連結部材を設けたことので、例えば幅の広い低温貯蔵庫であっても、貯蔵室中央に収納された被貯蔵物を連結部材により安定して支持することができ、被貯蔵物の前方への荷崩れをより一層抑制することができるようになる。
【００５５】
請求項２の発明によれば、上記発明に加えて、支柱は、貯蔵室の底部から上部に渡り、当該貯蔵室内に突出して設けられているので、貯蔵室内に被貯蔵物が収納された場合に、断熱箱体内壁と被貯蔵物との間に、支柱の突出分だけの間隔を確保することができるようになり、貯蔵室内の冷気循環路を確保することができ、被貯蔵物を均一に冷却することができるようになる。
【図面の簡単な説明】
【図１】  本発明の低温貯蔵庫の縦断側面図である。
【図２】  本発明の低温貯蔵庫の透視正面図である。
【図３】  本発明の低温貯蔵庫の横断平面図である。
【図４】  支柱の部分拡大斜視図である。
【図５】  レール部材を備えた低温貯蔵庫の横断平面図である。
【図６】  図５の支柱の部分拡大斜視図である。
【図７】  収納ケースを備えた低温貯蔵庫の縦断側面図である。
【図８】  図７の支柱の部分拡大斜視図である。
【図９】  荷崩れ防止部材を備えた低温貯蔵庫の縦断側面図である。
【図１０】  図９の支柱の部分拡大斜視図である。
【図１１】  本発明を応用した低温貯蔵庫の透視正面図である。
【図１２】  他の実施例としての低温貯蔵庫の縦断側面図である。
【図１３】  図１２の支柱の部分拡大斜視図である。
【図１４】  図１２の支柱の部分拡大斜視図である。
【符号の説明】
Ｒ  低温貯蔵庫
１  断熱箱体
２  貯蔵室
２０  支柱
２０Ａ  突出部
２０Ｂ  固定部
２１  係合孔
２６  棚受け部材
２６Ａ  狭持部
２６Ｂ  棚保持部
２７  棚装置
３０  レール部材
３１、３２  固定孔
３３、３５、４１、４２  ネジ部材
３４  ストッパー
３６  収納ケース用レール部材
３７  収納ケース
３８  ローラ
４０  レール保持部材
４０Ａ  固定孔
４０Ｂ  係合孔
４４  保持孔
４５  荷崩れ防止部材
【図１】
0003948954.tif 000002
【図２】
0003948954.tif 000003
【図３】
0003948954.tif 000004
【図４】
0003948954.tif 000005
【図５】
0003948954.tif 000006
【図６】
0003948954.tif 000007
【図７】
0003948954.tif 000008
【図８】
0003948954.tif 000009
【図９】
0003948954.tif 000010
【図１０】
0003948954.tif 000011
【図１１】
0003948954.tif 000012
【図１２】
0003948954.tif 000013
【図１３】
0003948954.tif 000014
【図１４】
0003948954.tif 000015